【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
始動条件が成立した場合に抽選を行う抽選手段と、その抽選手段により所定の結果が選ばれた場合に、通常状態より遊技者に有利な特別遊技状態を発生する特別遊技状態発生手段と、遊技者が視認可能な位置に設けられて電力によって駆動する複数の電気装置と、それら複数の電気装置の少なくとも一部を用いて遊技状態に応じた演出を実行する演出実行手段とを備えた遊技機において、
前記複数の電気装置は、
前記演出実行手段により実行される演出用の動画像又は静止画像を表示可能な表示画面を有する第１の電気装置と、
その第１の電気装置とは異なる電気装置であるとともに駆動手段により駆動動作される第２の電気装置とを含んで構成され、
該遊技機は、
前記第２の電気装置に使用する電力を、第１の電力から該第１の電力より低い第２の電力に低下させる電力切替手段と、
前記第２の電気装置が前記電力切替手段により前記第２の電力に切り替えられた状態において、前記第１の電気装置の表示画面に演出用の動画像又は静止画像と、前記第２の電気装置が前記駆動手段により駆動動作される場合の動画像を表示する手段と、
前記第１の電気装置の表示画面で前記抽選手段の抽選の結果を示唆する表示を行う手段と、
前記第１の電気装置の表示画面より消費電力が小さい電気装置であって、所定の表示面を備えた第３の電気装置と、を備え、
所定の契機が成立することによって前記第３の電気装置を用いて前記抽選手段の抽選の結果を示唆する表示を行うことを特徴とする遊技機。
【請求項２】
前記演出用の動画像又は静止画像を前記表示画面に表示させるためのデータを記憶する記憶手段を備えていることを特徴とする請求項１記載の遊技機。
【手続補正２】
【補正対象書類名】明細書
【補正対象項目名】０００４
【補正方法】変更
【補正の内容】
【０００４】
しかしながら、使用電力を減らすために電気装置を単に減らした場合、例えば、演出の多様化による差別化が困難となって、演出による遊技の面白味が低下するという問題点があった。
【手続補正３】
【補正対象書類名】明細書
【補正対象項目名】０００５
【補正方法】変更
【補正の内容】
【０００５】
本発明は、上記例示した問題点等を解決するためになされたものであり、使用電力を好適に制御した遊技機を提供することを目的としている。
【手続補正４】
【補正対象書類名】明細書
【補正対象項目名】０００６
【補正方法】変更
【補正の内容】
【０００６】
この目的を達成するために、請求項１記載の遊技機は、始動条件が成立した場合に抽選を行う抽選手段と、その抽選手段により所定の結果が選ばれた場合に、通常状態より遊技者に有利な特別遊技状態を発生する特別遊技状態発生手段と、遊技者が視認可能な位置に設けられて電力によって駆動する複数の電気装置と、それら複数の電気装置の少なくとも一部を用いて遊技状態に応じた演出を実行する演出実行手段とを備えたものであって、前記複数の電気装置は、前記演出実行手段により実行される演出用の動画像又は静止画像を表示可能な表示画面を有する第１の電気装置と、その第１の電気装置とは異なる電気装置であるとともに駆動手段により駆動動作される第２の電気装置とを含んで構成され、該遊技機は、前記第２の電気装置に使用する電力を、第１の電力から該第１の電力より低い第２の電力に低下させる電力切替手段と、前記第２の電気装置が前記電力切替手段により前記第２の電力に切り替えられた状態において、前記第１の電気装置の表示画面に演出用の動画像又は静止画像と、前記第２の電気装置が前記駆動手段により駆動動作される場合の動画像を表示する手段と、前記第１の電気装置の表示画面で前記抽選手段の抽選の結果を示唆する表示を行う手段と、前記第１の電気装置の表示画面より消費電力が小さい電気装置であって、所定の表示面を備えた第３の電気装置と、を備え、所定の契機が成立することによって前記第３の電気装置を用いて前記抽選手段の抽選の結果を示唆する表示を行う。
【手続補正５】
【補正対象書類名】明細書
【補正対象項目名】０００７
【補正方法】変更
【補正の内容】
【０００７】
請求項２記載の遊技機は、請求項１記載の遊技機において、前記演出用の動画像又は静止画像を前記表示画面に表示させるためのデータを記憶する記憶手段を備えている。
【手続補正６】
【補正対象書類名】明細書
【補正対象項目名】０００８
【補正方法】変更
【補正の内容】
【０００８】
本発明の遊技機によれば、始動条件が成立した場合に抽選を行う抽選手段と、その抽選手段により所定の結果が選ばれた場合に、通常状態より遊技者に有利な特別遊技状態を発生する特別遊技状態発生手段と、遊技者が視認可能な位置に設けられて電力によって駆動する複数の電気装置と、それら複数の電気装置の少なくとも一部を用いて遊技状態に応じた演出を実行する演出実行手段とを備えたものであって、前記複数の電気装置は、前記演出実行手段により実行される演出用の動画像又は静止画像を表示可能な表示画面を有する第１の電気装置と、その第１の電気装置とは異なる電気装置であるとともに駆動手段により駆動動作される第２の電気装置とを含んで構成され、該遊技機は、前記第２の電気装置に使用する電力を、第１の電力から該第１の電力より低い第２の電力に低下させる電力切替手段と、前記第２の電気装置が前記電力切替手段により前記第２の電力に切り替えられた状態において、前記第１の電気装置の表示画面に演出用の動画像又は静止画像と、前記第２の電気装置が前記駆動手段により駆動動作される場合の動画像を表示する手段と、前記第１の電気装置の表示画面で前記抽選手段の抽選の結果を示唆する表示を行う手段と、前記第１の電気装置の表示画面より消費電力が小さい電気装置であって、所定の表示面を備えた第３の電気装置と、を備え、所定の契機が成立することによって前記第３の電気装置を用いて前記抽選手段の抽選の結果を示唆する表示を行うので、使用電力を好適に制御した遊技機を提供できるという効果がある。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】０９９６
【補正方法】変更
【補正の内容】
【０９９６】
遊技機Ｆ１からＦ６のいずれかにおいて、前記遊技機はパチンコ遊技機とスロットマシンとを融合させたものであることを特徴とする遊技機Ｆ９。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機やスロットマシン等の遊技機には、例えば、液晶表示画面が設けられたものがある（例えば、特許文献１：特開２００６−１７４９５６号公報）。液晶表示画面が設けられている遊技機では、例えば、始動条件の成立（例えば、始動口へ球の入賞）を契機として、液晶表示画面に図柄を変動表示させ、その変動表示が停止した場合に液晶表示画面に表示された停止図柄が予め定められた図柄の組み合わせであれば、遊技者にとって有利な特別遊技状態が発生して、多量の賞球が払出可能な状態とされる。かかる遊技機では、遊技の興趣を高めるため、種々の演出（例えば、予告演出や、リーチ演出や、大当たり演出など）が行われている。近年では、多数の電気部品（例えば、液晶表示画面、ＬＥＤなどの発光体、モータやソレノイドなどにより動作する可動体、スピーカ装置など）を駆使した多様な演出が行われている。
その一方で、環境保護の観点から、遊技者の中でも節電に対する意識が高まりつつある。しかしながら、電気部品を単に減らして節電を図った場合、例えば、演出の多様化による差別化が困難となって、演出による遊技の面白味が低下するという問題点があった。
本技術的思想は、上記例示した問題点等を解決するためになされたものであり、節電を行いつつ、好適な遊技を提供できる遊技機を提供することを目的としている。
＜手段＞
この目的を達成するために、技術的思想１の遊技機は、電力によって駆動される演出用の電気部品を備えたものであって、手動操作されて、通常モードと、遊技者によって遊技が実行されていない場合に前記通常モードより消費電力が削減される節電モードとのいずれかにモードを設定可能なモード設定手段と、遊技者によって遊技が実行されているか否かを判定する判定手段と、前記モード設定手段により節電モードが設定され、かつ、前記判定手段により遊技が実行されていないと判定された場合に、前記演出用の電気部品の少なくとも一部に使用する電力を低下させる節電手段とを備え、前記モード設定手段は、前記通常モード及び前記節電モードのそれぞれについて、演出用の電気部品のうち所定の電気部品による出力量を複数段階に調整可能に構成される。
技術的思想２の遊技機は、技術的思想１の遊技機において、前記モード設定手段は、回転操作可能に構成されるとともに、複数の出力値を回転操作に伴って順次変化させることができ、所定方向に回転させた場合には、前記出力値を順次増加させ、最大値に到達した後に最小値に移行し、前記所定方向とは反対方向に回転させた場合には、前記出力値を順次減少させ、最小値に到達した後に最大値に移行するものとして構成され、前記複数の出力値のうち、連続する一部の複数の出力値に対して通常モードが割り当てられ、残りの複数の出力値に対して節電モードが割り当てられており、当該遊技機は、前記モード設定手段からの出力値を、前記所定の電気部品による出力量に変換する変換手段を備え、前記変換手段は、前記モード設定手段から出力可能な複数の出力値が一の方向に変化するに従って、前記所定の電気部品による出力量が、最大値まで増加した後減少し、最小値に到達した後最大値に向けて増加するように変換するように構成され、前記出力量の最大値が、通常モードに割り当てられた第１の出力値と、その第１の出力値に隣接する節電モードに割り当てられた第２の出力値とのうち少なくとも一方の出力値に対して割り当てられ、前記出力量の最小値が、通常モードに割り当てられた出力値であって前記第１の出力値とは異なる第３の出力値と、その第３の出力値に隣接する節電モードに割り当てられた出力値であって前記第２の出力値とは異なる第４の出力とのうち少なくとも一方の出力値に対して割り当てられている。
＜効果＞
技術的思想１の遊技機によれば、通常モードか節電モードかのいずれかを設定可能なモード設定手段により節電モードが設定され、かつ、判定手段により遊技が実行されていないと判定された場合には、演出用の電気部品の少なくとも一部に使用する電力が、節電手段によって低下されるので、遊技が実行されていない場合における消費電力の抑制（節電）を図ることができるという効果がある。また、節電手段による節電は、手動操作されるモード設定手段により節電モードが設定されている場合に限られるので、遊技が実行されていない場合に節電を行うか否かを、必要に応じて切り換えることができるという効果がある。
さらに、モード設定手段が、通常モード及び節電モードのそれぞれについて、演出用の電気部品のうち所定の電気部品による出力量を複数段階に調整可能に構成されている。なお、所定の演出用の電気部品による出力量としては、例えば、音を出力可能な演出用の電気部品（例えば、スピーカ装置）からの出力量である音量や、発光可能な演出用の電気部品（例えば、ＬＥＤなどの発光手段）における出力量である輝度や、所定の動作をする演出用の電気部品（例えば、演出用の可動体）の出力量である動作量などが含まれる。つまり、所定の電気部品による出力量を、モード設定手段によって遊技に適した量に調整することができる。よって、節電を行いつつ、好適な遊技を遊技者に提供することができるという効果がある。
また、所定の電気部品による出力量を下げた場合、その電気部品が消費する電力量も低下させることができるので、遊技が実行されていない場合に節電を行うか否かの切り換えと、所定の演出用の電気部品の消費電力の調整とが、１のモード設定手段により実現可能である、これらの設定を行う作業を容易にできるとともに、作業負担も少なくできるという効果がある。
技術的思想２の遊技機によれば、技術的思想１が奏する効果に加えて、次の効果を奏する。モード設定手段からの出力値が、変換手段により、所定の電気部品による出力量に変換される。かかる変換手段による変換は、モード設定手段から出力可能な複数の出力値が一の方向に変化するに従って、所定の電気部品による出力量が、最大値まで増加した後減少し、最小値に到達した後最大値に向けて増加するように変換される。このとき、出力量の最大値が、通常モードに割り当てられた第１の出力値と、その第１の出力値に隣接する節電モードに割り当てられた第２の出力値とのうち少なくとも一方の出力値に対して割り当てられ、出力量の最小値が、通常モードに割り当てられた出力値であって前記第１の出力値とは異なる第３の出力値と、その第３の出力値に隣接する節電モードに割り当てられた出力値であって前記第２の出力値とは異なる第４の出力とのうち少なくとも一方の出力値に対して割り当てられている。よって、モード設定手段を回転操作した場合であっても、所定の電気部品による出力量（例えば、スピーカ装置から放音される音の音量）が急激に大きくなったり、小さくなったりすることを防止できるという効果がある。
【手続補正１１】
【補正対象書類名】明細書
【補正対象項目名】０９９７
【補正方法】変更
【補正の内容】
【０９９７】
１０            パチンコ機（遊技機）
８１            第３図柄表示装置（電気装置、第１の電気装置）
１１０          主制御装置
１１７          演出制御装置
１８１          節電用図柄表示装置（電気装置、第３の電気装置）
３６１          演出用可動体（電気装置、第２の電気装置）